(57)【要約】      （修正有）【課題】対象ノード装置が、施設監視システムの設定に対応した動作が行えているかどうかの確認作業に要する作業時間を低減させる。【解決手段】対象ノード装置に対して、当該対象ノード装置が制御する対象監視ポイントの制御動作を実行させる動作実行指示を送信する動作実行指示部１３３と、動作実行指示に基づいて対象ノード装置に対象監視ポイントの制御動作を実行させた結果得られた実行結果情報が表示された確認画面をキャプチャさせ、キャプチャデータを記録部に記録させる記録指示部１３４とを備えた。【選択図】図２
2019012416.tif 000002
【特許請求の範囲】
【請求項１】
施設監視システムに設けられ、施設内の複数の監視ポイントを制御する複数のノード装置、および、当該ノード装置を介して前記複数の監視ポイントの監視を行う施設監視装置と、ネットワークを介して接続される診断装置において、
対象ノード装置に対して、当該対象ノード装置が制御する対象監視ポイントの制御動作を実行させる動作実行指示を送信する動作実行指示部と、
前記動作実行指示に基づいて前記対象ノード装置に前記対象監視ポイントの制御動作を実行させた結果得られた実行結果情報が表示された確認画面をキャプチャさせ、キャプチャデータを記録部に記録させる記録指示部
とを備えた診断装置。
【請求項２】
前記実行結果情報には前記対象監視ポイントの制御状態に関する情報が含まれ、
前記記録指示部は、前記対象監視ポイントの制御状態が表示された前記確認画面をキャプチャさせ、キャプチャデータを記録させる
ことを特徴とする請求項１記載の診断装置。
【請求項３】
前記実行結果情報には前記対象ノード装置に対して制御動作を実行させた実行結果ログの情報が含まれ、
前記記録指示部は、前記実行結果ログが表示された前記確認画面をキャプチャさせ、キャプチャデータを記録させる
ことを特徴とする請求項１または請求項２記載の診断装置。
【請求項４】
機器保守中状態において、前記対象ノード装置に対して、前記対象監視ポイントへの出力を停止させる停止指示情報を送信する停止指示部を備えた
ことを特徴とする請求項１から請求項３のうちのいずれか１項記載の診断補助装置。
【請求項５】
施設監視システムに設けられ、施設内の複数の監視ポイントを制御する複数のノード装置、および、当該ノード装置を介して前記複数の監視ポイントの監視を行う施設監視装置と、ネットワークを介して接続される診断装置による施設監視システムの診断方法において、
動作実行指示部が、対象ノード装置に対して、当該対象ノード装置が制御する対象監視ポイントの制御動作を実行させる動作実行指示を送信するステップと、
記録指示部が、前記動作実行指示に基づいて前記対象ノード装置に前記対象監視ポイントの制御動作を実行させた結果得られた実行結果情報が表示された確認画面をキャプチャさせ、キャプチャデータを記録部に記録させるステップ
とを備えた施設監視システムの診断方法。
【請求項６】
施設内の複数の監視ポイントを制御する複数のノード装置と、当該ノード装置を介して前記複数の監視ポイントの監視を行う施設監視装置と、診断装置とが、ネットワークを介して接続される施設監視システムにおいて、
対象ノード装置に対して、当該対象ノード装置が制御する対象監視ポイントの制御動作を実行させる動作実行指示を送信する動作実行指示部と、前記動作実行指示に基づいて前記対象ノード装置に前記対象監視ポイントの制御動作を実行させた結果得られた実行結果情報が表示された確認画面をキャプチャさせ、キャプチャデータを記録部に記録させる記録指示部とを有する診断装置と、
前記動作実行指示部から送信された前記動作実行指示を受け付ける動作実行指示受付部と、前記動作実行指示受付部が前記動作実行指示を受け付けた場合に、前記対象監視ポイントの制御動作を実行する動作実行制御部と、前記動作実行制御部が制御動作を実行した結果に関する実行結果情報を、前記施設監視装置に送信する結果通知部とを有するノード装置と、
前記結果通知部から通知された実行結果情報を取得する結果取得部と、前記結果取得部が取得した実行結果情報を前記確認画面に表示させる表示制御部と、前記記録指示部からの指示に基づき、前記実行結果情報を表示させた確認画面をキャプチャし、キャプチャデータを前記記録部に記録させる記録制御部とを有する施設監視装置
とを備えた施設監視システム。
【発明の詳細な説明】
【技術分野】
【０００１】
この発明は、監視対象の機器の制御が正しく行われるかどうかの診断作業を行うための診断装置、施設監視システムの診断方法、および、施設監視システムに関するものである。
【背景技術】
【０００２】
従来から、建物内に設置された複数の機器の監視、または、制御を行う施設監視システムが広く知られている。
このような施設監視システムを構築する際には、例えば、複数の機器を制御するために設けられるノード装置に対して、種々の設定を行う必要がある。
例えば、特許文献１には、エンジニアリング装置が、複数設けられたノード装置のうち、該当するノード装置に対して、設定情報をダウンロードすることで、現在運用中のシステムを変更する施設監視システムが開示されている。
特許文献１に開示されているような施設監視システムでは、システムを変更する際、ノード装置にて自身の現在の設定情報を退避エリアに保管し、システムの設定変更後に問題が発生した場合に、当該退避エリアに保管した設定情報を用いて、システムの復旧が行えるようにしている。
【先行技術文献】
【特許文献】
【０００３】
【特許文献１】特開２００５−２０２７７４号公報
【発明の概要】
【発明が解決しようとする課題】
【０００４】
施設監視システムにおいて、例えば、複数の機器を制御するために設けられるノード装置の設定変更等を行う場合、設定変更後、設定どおりに動作していないことが確認されても、上述したような特許文献１に開示された技術を用いれば、ノード装置にて退避エリアに保管しておいた、自身の現在の設定情報に基づき、システムを復旧し、再度設定変更をしなおすことができる。
【０００５】
しかしながら、そもそも、ノード装置が設定どおりに動作しているかどうかを確認するためには、管理者等が、設定を行ったのちに、まず、当該設定を行ったノード装置を動作させてみる必要がある。このように、設定変更等を行ったノード装置を動作させてみる作業を、管理者等の人が実施するのでは、作業に膨大な時間がかかり、その結果、ノード装置が設定どおりに動作しているかどうかの確認漏れ、または、確認ミス等につながるという課題があった。
【０００６】
この発明は、上記のような課題を解決するためになされたもので、施設監視システムの設定に対応した動作が行えているかどうかの確認作業に要する作業時間を低減させることができる診断装置、施設監視システムの診断方法、および、施設監視システムを提供することを目的としている。
【課題を解決するための手段】
【０００７】
この発明に係る診断装置は、施設監視システムに設けられ、施設内の複数の監視ポイントを制御する複数のノード装置、および、当該ノード装置を介して前記複数の監視ポイントの監視を行う施設監視装置と、ネットワークを介して接続される診断装置において、対象ノード装置に対して、当該対象ノード装置が制御する対象監視ポイントの制御動作を実行させる動作実行指示を送信する動作実行指示部と、動作実行指示に基づいて対象ノード装置に対象監視ポイントの制御動作を実行させた結果得られた実行結果情報が表示された確認画面をキャプチャさせ、キャプチャデータを記録部に記録させる記録指示部とを備えたものである。
【発明の効果】
【０００８】
この発明によれば、上記のように構成したので、施設監視システムにおいて、設定に対応した動作が行えているかどうかの診断のためのデータを自動的に記録することができ、施設監視システムの設定に対応した動作が行えているかどうかの確認作業に要する作業時間を低減させることができる。
【図面の簡単な説明】
【０００９】
【図１】実施の形態１の施設監視システムの構成例を示す図である。
【図２】実施の形態１に係る診断装置の構成例を示す図である。
【図３】実施の形態１において、動作リスト作成部が作成する動作リストの内容の一例を説明する図である。
【図４】実施の形態１のノード装置の構成例を示す図である。
【図５】実施の形態１の施設監視装置の構成例を示す図である。
【図６】実施の形態１の施設監視システムの動作の一例を説明するためのフローチャートである。
【図７】実施の形態１において、施設監視装置の表示制御部が表示部に表示させる確認画面の一例を示す図である。
【発明を実施するための形態】
【００１０】
以下、この発明の実施の形態について図面を参照しながら詳細に説明する。
実施の形態１．
図１は、実施の形態１の施設監視システムの構成例を示す図である。
施設監視システムは、図１に示すように、診断装置１と、ノード装置２と、施設監視装置３を備える。診断装置１と、ノード装置２と、施設監視装置３とは、ネットワークを介して接続される。なお、診断装置１と、ノード装置２と、施設監視装置３は、ソフトウェアに基づくＣＰＵを用いたプログラム処理によって実行される。
【００１１】
診断装置１は、例えば、ノード装置２の設定が追加された場合、または、ノード装置２の設定の変更が行われた場合等、施設監視システムにおいて、ノード装置２による施設内の機器の制御状態が変化した場合に、制御状態が変化したノード装置２に対して、制御している機器への制御動作を実行させる動作実行指示を行う。
例えば、ノード装置２による施設内の機器の制御状態に変化があった場合、管理者等は、ノード装置２が設定どおりの動作を行えているか、すなわち、正しく監視ポイントの制御を行えているかどうかを確認する必要がある。そこで、上述のとおり、診断装置１が、ノード装置２に対して、機器の制御動作を実行させる。そして、施設監視装置３では、ノード装置２が、診断装置１からの指示に基づき機器の制御動作を実行した結果を示す確認画面を表示させる。施設監視装置３の詳細、および、確認画面については後述する。
また、診断装置１は、施設監視装置３に対して、ノード装置２が制御する機器の制御動作を実行させた結果を表示した確認画面をキャプチャさせ、キャプチャデータを記録部に記録させる指示を行う。
なお、実施の形態１では、上述のように、診断装置１がノード装置２に対して、制御する機器への制御動作を実行させることを、検査を行う、ともいう。
【００１２】
ノード装置２は、施設監視装置３の制御に基づき、施設内に設置された複数の機器を制御する。具体的には、ノード装置２は、通常モードにおいて（通常モードについては後述する）、施設監視装置３の制御に基づき、施設内に設置された機器から、当該機器に関するデータを収集する。例えば、センサ、温度計、電力計等の、施設内の設備に設置された機器から、当該機器が取得する温度、湿度、電力量等のデータを収集する。施設監視装置３は、ノード装置２を介して、機器に限らず、施設内の設備を制御することもできる。
実施の形態１では、施設内の設備、または、施設内の設備に設置された機器を監視ポイントともいい、当該監視ポイントから収集されるデータ、すなわち、監視ポイントの値を、監視ポイントデータともいうものとする。
また、ノード装置２は、診断モードにおいて（診断モードについては後述する）、診断装置１からの動作実行指示が送信された場合に、監視ポイントの制御動作を実行させ、制御動作を実行させた結果である実行結果情報を施設監視装置３に送信する。
なお、図１では、ノード装置２は、３台のみ示しているが、これは一例に過ぎない。施設監視システムにおいて、ノード装置２は複数備えられる。
【００１３】
施設監視装置３は、ノード装置２を介して、施設内の監視ポイントの監視または制御を行う。具体的には、施設監視装置３は、ノード装置２を介して、施設内の監視ポイントで収集される監視ポイントデータを取得し、表示部（後述する）に当該監視ポイントデータを画面表示させる。管理者等は、表示部に画面表示された監視ポイントデータを確認し、監視ポイントの状態の確認、監視、または、制御等を行う。
このように、施設監視装置３が表示させる、施設内の監視ポイントの状態を確認するための画面を、確認画面という。なお、確認画面とは、ＧＵＩ（Ｇｒａｐｈｉｃａｌ  Ｕｓｅｒ  Ｉｎｔｅｒｆａｃｅ）画面である。
確認画面は、施設内の監視ポイントの監視内容に応じて、管理者等によって、予め設定されている。
確認画面ごとに、関連する１つ以上の監視ポイントを動作させた結果取得された、当該１つ以上の監視ポイントの制御状態、または、１つ以上の監視ポイントデータを示す画像が表示される。
通常時は、このように、施設監視装置３が、ノード装置２を介して、施設内の監視ポイントで収集される監視ポイントデータを取得して確認画面を表示させ、管理者等は、当該確認画面を確認することで、施設内の監視ポイントの状態の監視、または、制御等を行う。実施の形態１では、施設監視システムにおいて、施設監視装置３が、ノード装置２を介して監視ポイントデータを取得し、監視ポイントの状態の監視、または、制御を行う通常時の状態のことを、通常モードという。
【００１４】
また、施設監視装置３は、ノード装置２の設定の追加、または、変更等を行う。
具体的には、例えば、管理者等が、施設監視装置３の入力装置（図示省略）を操作して、ノード装置２の設定の追加、または、変更を行う。この際、管理者等は、管理者等は、ノード装置２が設定どおりの動作を行えているか確認する必要がある。そこで、例えば、入力装置を操作して、通常モードから、診断モードへの切替を行う。診断モードへの切替が行われると、例えば、切替信号が、施設監視装置３から診断装置１へ送信される。診断装置１では、切替信号を受信すると、上述のように、制御状態が変化したノード装置２に対して、制御している機器への制御動作を実行させる動作実行指示を行う。
すなわち、実施の形態１では、施設監視システムにおいて、ノード装置２による施設内の機器の制御状態が変化した場合に、機器の制御状態が変化したノード装置２の検査を行う状態のことを、診断モードという。
診断モードでは、施設監視装置３は、診断装置１がノード装置２に検査を行わせた結果得られた実行結果情報を取得し、確認画面に表示させる。
【００１５】
図２は、実施の形態１に係る診断装置１の構成例を示す図である。
診断装置１は、動作リスト作成部１１と、ノード特定部１２と、指示部１３と、判定制御部１４とを備える。
指示部１３は、停止指示部１３１と、解除指示部１３２と、動作実行指示部１３３と、記録指示部１３４とを有する。
【００１６】
動作リスト作成部１１は、ノード装置２に監視ポイントを動作させる際に用いる動作リストを作成する。
動作リスト作成部１１は、動作リストを、確認画面ごとに作成する。
【００１７】
ここで、図３は、実施の形態１において、動作リスト作成部１１が作成する動作リストの内容の一例を説明する図である。
動作リストにおいて、画面名称と、監視ポイントＮＯと、監視ポイントの管理コードと、オブジェクト種別の情報と、ノード装置２のアドレスの情報とが関連付けられている。
図３に示すように、動作リストでは、複数の監視ポイントの状態を確認するための確認画面ごとに、１つ以上のノード装置と、当該ノード装置が制御する監視ポイントとが対応付けられた情報が定義される。
【００１８】
画面名称とは、確認画面の名称であり、予め管理者等によって設定されている。
監視ポイントＮＯおよび監視ポイントの管理コードは、監視ポイントに対して付与された番号およびコードであり、予め管理者等によって設定されている。
オブジェクト種別の情報は、監視ポイントから収集される監視ポイントデータの種別を示す情報である。
ノードアドレスには、ノード装置２のアドレスの情報が設定される。
【００１９】
確認画面ごとの、画面名称、監視ポイントＮＯ、監視ポイントの管理コード、オブジェクト種別、および、ノードアドレスの対応関係は、予め、診断装置１が参照可能な場所に、関連情報として記憶されている。
また、例えば、ノード装置２の設定の追加、または、変更等が行われた場合、管理者等によって、当該設定の追加、または、変更等が行われた旨の情報が、診断装置１が参照可能な場所に、動作確認用情報として記憶されている。
動作リスト作成部１１は、当該記憶された動作確認用情報と、関連情報とに基づいて、設定の追加、または、変更等が行われたノード装置２と監視ポイントの情報とが関連付けられて抽出された、図３に示すような動作リストを作成する。
【００２０】
なお、図３に示す動作リストの内容は、一例に過ぎず、例えば、図３に示す情報以外の情報が含まれていてもよい。また、例えば、画面名称ではなく、予め設定された画面ＩＤの情報が含まれていてもよい。
動作リストは、確認画面ごとに、設定の追加、または、変更等が行われたノード装置２と、当該ノード装置２が制御している監視ポイントとが特定できるようになっていればよい。
【００２１】
図２の説明に戻る。
ノード特定部１２は、動作リスト作成部１１が作成した確認画面ごとの動作リストの中から、ノード装置２の検査未実施の動作リストを、対象動作リストとして選択する。そして、ノード特定部１２は、対象動作リストに基づき、設定の追加、または、変更等が行われたノード装置２のうち、ノード装置２を１つ選択し、当該ノード装置２を、検査を行う対象となるノード装置２（以下、対象ノード装置ともいう）として特定する。
ノード特定部１２は、特定した対象ノード装置の情報を、指示部１３に出力する。
【００２２】
指示部１３は、ノード装置２に対する各種指示を送信する。
指示部１３の停止指示部１３１は、機器保守中状態（詳細は後述する）である場合に、ノード特定部１２が特定した対象ノード装置に対して、当該対象ノード装置が制御している監視ポイント（以下、対象監視ポイントともいう）のＩ／Ｏの出力を停止させる停止指示情報を送信する。
具体的には、停止指示部１３１は、対象ノード装置のＯｕｔ＿ｏｆ＿Ｓｅｒｖｉｃｅプロパティへ「ＴＲＵＥ」を書き込み、当該対象ノード装置が制御している対象監視ポイントへの出力および警報判断の保留を行わせる。
【００２３】
管理者等は、例えば、施設監視装置３の入力装置（図示省略）を操作して、ノード装置２の設定の追加、または、変更等を行った際に、機器保守中登録指令も入力しておく。そして、施設監視装置３は、機器保守中登録指令が入力されると、当該機器保守中登録指令の情報を、診断装置１が参照可能な場所に記憶させておく。停止指示部１３１は、機器保守中登録指令の情報が記憶されていれば、機器保守中状態であると判断し、対象ノード装置に対して、対象監視ポイントへの出力および警報判断の保留を行わせる。
【００２４】
指示部１３の解除指示部１３２は、停止指示部１３１が停止指示情報を送信し、制御している対象監視ポイントへの出力を停止させた対象ノード装置に対して、停止解除指示情報を送信して、対象監視ポイントへの出力の停止を解除し、制御を再開させる。
具体的には、解除指示部１３２は、制御を再開させる対象ノード装置のＯｕｔ＿ｏｆ＿Ｓｅｒｖｉｃｅプロパティへ「ＦＡＬＳＥ」を書き込み、対象監視ポイントへの出力および警報判断の保留を解除する。
【００２５】
指示部１３の動作実行指示部１３３は、ノード特定部１２が特定した対象ノード装置に対して、対象監視ポイントの制御動作を実行させる動作実行指示を送信する。具体的には、動作実行指示部１３３は、動作リスト作成部１１が作成した動作リストに基づき、対象ノード装置のノードアドレス、および、制御する対象監視ポイントを特定し、当該ノードアドレスに対して、動作実行指示情報を送信する。
動作実行指示部１３３から動作実行指示が送信された対象ノード装置では、当該動作実行指示に基づき、対象監視ポイントの制御動作を実行する。
そして、対象ノード装置は、動作実行指示に基づいて対象監視ポイントを動作させた結果に関する実行結果情報を、施設監視装置３に送信する。ノード装置２の詳細については後述する。
【００２６】
指示部１３の記録指示部１３４は、施設監視装置３において、対象ノード装置に対象監視ポイントの制御動作を実行させた結果得られた実行結果情報が表示された確認画面が表示されると、施設監視装置３に対して、当該確認画面をキャプチャさせ、キャプチャデータを記録部３５（後述する）に記録させる記録指示情報を、施設監視装置３に送信する。施設監視装置３の詳細については後述する。
【００２７】
判定制御部１４は、対象動作リスト上の全てのノード装置２に対して、検査を実行させたかどうかを判定する。また、判定制御部１４は、全ての動作リスト、すなわち、全ての確認画面について、各確認画面で定義された全てのノード装置２に対する検査を実行させたかどうかを判定する。
【００２８】
図４は、実施の形態１のノード装置２の構成例を示す図である。
ノード装置２は、受付部２１と、動作制御部２２と、結果通知部２３とを備える。
受付部２１は、停止指示受付部２１１と、解除指示受付部２１２と、動作実行指示受付部２１３とを有する。
動作制御部２２は、停止制御部２２１と、解除制御部２２２と、動作実行制御部２２３とを有する。
【００２９】
受付部２１は、診断モードにおいて、診断装置１から送信される各種指示情報を受け付ける。
受付部２１の停止指示受付部２１１は、診断装置１の停止指示部１３１から送信された停止指示情報を受け付ける。
停止指示受付部２１１は、停止指示情報を受け付けると、停止指示情報を受け付けた旨の情報を、動作制御部２２に出力する。
受付部２１の解除指示受付部２１２は、診断装置１の解除指示部１３２から送信された停止解除指示情報を受け付ける。
解除指示受付部２１２は、停止解除指示情報を受け付けると、停止解除指示情報を受け付けた旨の情報を、動作制御部２２に出力する。
受付部２１の動作実行指示受付部２１３は、診断装置１の動作実行指示部１３３から送信された動作実行指示情報を受け付ける。
動作実行指示受付部２１３は、動作実行指示情報を受け付けると、動作実行指示情報を受け付けた旨の情報を、動作制御部２２に出力する。
【００３０】
動作制御部２２は、ノード装置２が制御している監視ポイントに対する動作の制御を行う。
動作制御部２２の停止制御部２２１は、停止指示受付部２１１から停止指示情報を受けた旨の情報が出力されると、対象監視ポイントに対して、出力および警報判断の動作を停止させる。
動作制御部２２の解除制御部２２２は、解除指示受付部２１２から停止解除指示情報を受け付けた旨の情報が出力されると、停止解除指示情報に基づき出力および警報判断動作を停止させた対象監視ポイントに対して、出力および警報判断の動作を再開させる。
動作制御部２２の動作実行制御部２２３は、動作実行指示受付部２１３から動作実行指示情報を受け付けた旨の情報が出力されると、対象監視ポイントの制御動作を実行する。
【００３１】
結果通知部２３は、動作実行制御部２２３が制御動作を実行した結果得られる実行結果情報を、施設監視装置３に送信する。実行結果情報には、動作実行制御部２２３が制御動作を実行した対象監視ポイントの制御状態に関する情報、および、動作実行制御部２２３が制御動作を実行した実行結果ログの情報が含まれる。
【００３２】
なお、説明の簡単のため、図４においては図示を省略しているが、ノード装置２は、監視ポイントデータ収集部と、監視ポイントデータ送信部を備える。
監視ポイントデータ収集部は、通常モードにおいて、予め設定された周期、または、施設監視装置３からの指示を受け付けた場合等に、制御している監視ポイントから監視ポイントデータを収集する。
監視ポイントデータ送信部は、監視ポイントデータ収集部が収集した監視ポイントデータに関する情報を、施設監視装置３に送信する。
施設監視装置３では、監視ポイントデータ送信部から送信された監視ポイントデータに関する情報を示した確認画面を、表示部３４（後述する）に表示させる。通常モードにおいては、このように、施設監視装置３が、ノード装置２を介して監視ポイントを制御し、監視ポイントから収集された監視ポイントデータを、確認画面に表示させる。管理者等は、当該確認画面を確認することで、施設内の監視ポイントの監視、または、制御等を行う。
【００３３】
図５は、実施の形態１の施設監視装置３の構成例を示す図である。
施設監視装置３は、結果取得部３１と、表示制御部３２と、記録制御部３３と、表示部３４と、記録部３５とを備える。
【００３４】
結果取得部３１は、診断モードにおいて、ノード装置２の結果通知部２３から送信された実行結果情報を取得する。
結果取得部３１は、取得した実行結果情報を、表示制御部３２に出力する。
【００３５】
表示制御部３２は、結果取得部３１から出力された実行結果情報に基づく確認画面を、表示部３４に表示させる。
具体的には、表示制御部３２は、表示部３４に、実行結果情報に基づく、対象監視ポイントの制御状態を示す画像を表示させた確認画面を表示させる。このとき、表示制御部３２は、実行結果情報に基づく実行結果ログの情報もあわせて確認画面に表示させる。
【００３６】
記録制御部３３は、診断装置１の記録指示部１３４からの指示に基づき、対象監視ポイントの制御状態、および、実行結果ログが表示された確認画面をキャプチャし、記録部３５に記録させる。
【００３７】
表示部３４は、ディスプレイ等の表示装置である。
記録部３５は、記録制御部３３がキャプチャした確認画面のデータを記録する。
なお、説明の簡単のため、図５においては図示を省略しているが、施設監視装置３は、監視ポイントデータ取得部を備える。
監視ポイントデータ取得部は、通常モードにおいて、ノード装置２の監視ポイントデータ送信部から送信された監視ポイントデータに関する情報を取得する。
監視ポイントデータ取得部は、取得した監視ポイントデータに関する情報を表示制御部３２に出力し、表示制御部３２は、監視ポイントデータに関する情報を示した確認画面を、表示部３４に表示させる。通常モードにおいては、このように、施設監視装置３は、ノード装置２が収集した監視ポイントデータに関する情報を、確認画面に表示させる。
【００３８】
次に、上記のように構成された診断装置１、ノード装置２、および、施設監視装置３による、施設監視システムの動作について、図６を参照しながら説明する。
図６は、実施の形態１の施設監視システムの動作の一例を説明するためのフローチャートである。
なお、以下では、図６を用いて、管理者等によってノード装置２の設定の追加、または、変更等が行われ、診断装置１が、ノード装置２が正しく監視ポイントを制御できるかどうかの検査を行う場合の施設監視システムの動作を説明する。すなわち、以下では、診断モードにおける施設監視システムの動作を説明する。
【００３９】
まず、診断装置１において、動作リスト作成部１１は、ノード装置２を動作させる際に用いる動作リストを作成する（ステップＳＴ６０１）。
ノード特定部１２は、ステップＳＴ６０１において動作リスト作成部１１が作成した動作リストの中から、ノード装置２の検査未実施の動作リストを、対象動作リストとして選択する。そして、ノード特定部１２は、対象動作リストに基づき、設定の追加、または、変更等が行われたノード装置２のうち、ノード装置２を１つ選択し、当該ノード装置２を、検査を行う対象ノード装置と特定する（ステップＳＴ６０２）。なお、実施の形態１では、ノード特定部１２は、対象動作リストに基づき、ノード装置２を１つずつ対象ノード装置と特定していくものとするが、これに限らず、ノード特定部１２は、複数のノード装置２を、まとめて対象ノード装置として特定してもよい。
【００４０】
指示部１３の停止指示部１３１は、管理者等からの機器保守中登録指令に応じて、ステップＳＴ６０２においてノード特定部１２が特定した対象ノード装置に対して、対象監視ポイントのＩ／Ｏの出力を停止させる停止指示情報を送信する（ステップＳＴ６０３）。
対象ノード装置では、受付部２１の停止指示受付部２１１が、停止指示部１３１から送信された停止指示情報を受け付け、動作制御部２２の停止制御部２２１が、対象監視ポイントへの出力および警報判断の保留を行う。
【００４１】
施設監視システムにおいて、例えば、ノード装置２の設定変更等を行った際には、一度ノード装置２の検査を行う必要があるが、当該検査の実行中は、ノード装置２が現在制御中の監視ポイントを実際に動作させてしまうと、制御中の監視ポイントに対して不要な制御となり、監視ポイントの状態に不要な変化が生じてしまう可能性がある。したがって、施設監視システムでは、管理者等からの機器保守中登録指令を受け付け可能とし、診断装置１は、機器保守中状態において、ステップＳＴ６０３のように、停止指示部１３１が、対象ノード装置に対して、当該対象監視ポイントにおけるＩ／Ｏの出力を止めさせる。
ただし、当該ステップＳＴ６０３の動作は、必須ではない。ノード装置２の検査を行っても、監視ポイントの状態に不要な変化が生じない場合は、当該ステップＳＴ６０３の動作は省略してもよい。この場合、診断装置１は、停止指示部１３１、および、解除指示部１３２を備えない構成とし、ノード装置２は、停止指示受付部２１１、停止制御部２２１、解除指示受付部２１２、および、解除制御部２２２を備えない構成とすることができる。
また、実施の形態１では、上述のように、停止指示部１３１は、ノード特定部１２が特定した対象ノード装置に対して、停止指示情報を送信するものとしたが、これに限らない。例えば、停止指示部１３１は、対象動作リストに設定されているノード装置２に対して一斉に停止指示情報を送信するようにしてもよい。その場合、ステップＳＴ６０２とステップＳＴ６０３の動作の順番は逆でもよい。
【００４２】
図６のフローチャートに戻る。
動作実行指示部１３３は、対象動作リストに基づき、ステップＳＴ６０２でノード特定部１２が特定した対象ノード装置に対して、対象監視ポイントの制御動作を実行させる動作実行指示を送信する（ステップＳＴ６０４）。具体的には、動作実行指示部１３３は、対象ノード装置に対して、対象監視ポイントの各種状態での動作を１つずつ検査させる。例えば、ステップＳＴ６０２においてノード特定部１２が対象ノード装置としてノード装置ａを特定したとすると、動作実行指示部１３３は、ノード装置ａに対し、当該ノード装置ａが制御する監視ポイントＡに対して、まずは、「ＯＮ」状態として動作を実行させる。
【００４３】
ステップＳＴ６０４において診断装置１の動作実行指示部１３３が動作実行指示情報を送信すると、対象ノード装置において、受付部２１の動作実行受付部２１４が、当該動作実行指示情報を受け付け、動作制御部２２の動作実行制御部２２３が、該当の対象監視ポイントの制御動作を実行する（ステップＳＴ６０５）。具体的には、ここでは、例えば、ノード装置ａが、動作実行指示情報に基づき、監視ポイントＡを「ＯＮ」状態とする制御動作を実行する。
そして、結果通知部２３が、監視ポイントＡの制御動作を実行させた結果に関する情報を実行結果情報として、施設監視装置３に送信する（ステップＳＴ６０６）。
【００４４】
施設監視装置３の結果取得部３１は、ノード装置２の結果通知部２３から送信された実行結果情報を取得する（ステップＳＴ６０７）。
結果取得部３１は、取得した実行結果情報を、表示制御部３２に出力する。
【００４５】
表示制御部３２は、ステップＳＴ６０７において結果取得部３１から出力された実行結果情報に基づく確認画面を、表示部３４に表示させる（ステップＳＴ６０８）。具体的には、表示制御部３２は、表示部３４に、実行結果情報に基づく、監視ポイントＡの制御状態を示す画像を表示させた確認画面を表示させる。ここでは、例えば、監視ポイントＡを「ＯＮ」状態とした画像が、確認画面に表示される。
また、表示制御部３２は、実行結果情報に基づく実行結果ログの情報もあわせて確認画面に表示させる。
【００４６】
ここで、図７は、実施の形態１において、施設監視装置３の表示制御部３２が表示部３４に表示させる確認画面の一例を示す図である。
図７では、一例として、結果取得部３１が、ノード装置ａから、監視ポイントＡを「ＯＮ」状態とする制御動作を実行させた結果を実行結果情報として取得し、表示制御部３２が、当該実行結果情報に基づいて表示部３４に表示させた確認画面を示している。図７において、監視ポイントＡを表すアイコンを「Ａ」で示している。また、図７においては説明の簡単のため黒で示しているが、「ＯＮ」状態とした監視ポイントの制御状態が、例えば、アイコンを赤色で表示、または、アイコンを点滅させることで表現される。
また、表示制御部３２は、実行結果情報に基づき、確認画面に、実行結果ログを表示させる（図７の７１参照）。実行結果ログとは、対象監視ポイントに対して、どのような制御動作を実行させたかどうかがわかるようになっている情報であり、実行させる制御動作に応じて、当該制御動作をコード等で示す情報である。各制御動作を、どのようなコード等で示すかについては、予め、管理者等によって設定されている。
なお、表示制御部３２は、実行結果ログを、確認画面の図７に示す位置に表示させることに限らず、確認画面の適宜の位置に表示させることができる。
【００４７】
ステップＳＴ６０８において、表示制御部３２が確認画面を表示させると、診断装置１の記録指示部１３４は、当該確認画面をキャプチャさせ、キャプチャデータを施設監視装置３の記録部３５に記録させる記録指示情報を、施設監視装置３に送信する（ステップＳＴ６０９）。
記録指示部１３４は、例えば、施設監視装置３の制御部（図示省略）から、確認画面が表示された旨の通知を受け取る等して、確認画面が表示されたことを検知するようにすればよい。
【００４８】
施設監視装置３の記録制御部３３は、ステップＳＴ６０９において診断装置１の記録指示部１３４から記録指示情報が送信されると、ステップＳＴ６０８において表示された確認画面をキャプチャし、キャプチャデータを記録部３５に記録させる（ステップＳＴ６１０）。
記録制御部３３が確認画面をキャプチャすることで、対象監視ポイントの制御状態、および、実行結果ログの情報が記録部３５に記録される。
なお、実施の形態１では、記録制御部３３は、図７に示したような確認画面を一度キャプチャすることで、対象監視ポイントの制御状態の情報と実行結果ログの情報の両方を一度に記録させるものとするが、これに限らず、記録制御部３３は、対象監視ポイントの制御状態が表示された監視ポイント表示画面（図７の７０１参照）と、実行結果ログの情報が記録された実行結果ログ表示画面（図７の７０２参照）を、それぞれ記録させるようにしてもよい。
【００４９】
ステップＳＴ６１０において、施設監視装置３の記録制御部３３が、確認画面をキャプチャし、キャプチャデータを記録させると、診断装置１の動作実行指示部１３３は、ステップＳＴ６０４において対象ノード装置に対して、対象監視ポイントの全ての制御状態での制御動作を実行させたかどうかを判定する（ステップＳＴ６１１）。なお、ある監視ポイントに対して実行させるべき制御状態の種類は、予め、管理者等によって設定され、動作実行指示部１３３が参照可能な場所に、監視ポイントの情報と対応付けて記憶されているものとする。動作実行指示部１３３は、当該予め記憶されている情報に基づき、対象ノード装置に対して、対象監視ポイントの、検査すべき全ての制御状態で、制御動作を実行させたかどうかを判定する。
【００５０】
ステップＳＴ６１１において、対象ノード装置に対して、全ての制御状態での制御動作を実行させていないと判定した場合（ステップＳＴ６１１の“ＮＯ”の場合）、ステップＳＴ６０４に戻り、以降の処理を繰り返す。すなわち、動作実行指示部１３３は、対象ノード装置に対して、対象監視ポイントについて、検査未実行の制御状態での制御動作を実行させる。
例えば、予め、監視ポイントＡに対しては、「ＯＮ」状態と「ＯＦＦ」状態での検査をさせるものと設定されていたとすると、動作実行指示部１３３は、上述のとおり、ステップＳＴ６０４においてまず「ＯＮ」状態の制御動作を実行させたので、次に、ノード装置ａに対して、「ＯＦＦ」状態で、監視ポイントＡの制御動作を実行させる。
【００５１】
ノード装置ａでは、「ＯＦＦ」状態で監視ポイントＡの制御動作を実行し、その結果を実行結果情報として施設監視装置３に送信する。
施設監視装置３の結果取得部３１は、実行結果情報を取得し、表示制御部３２は、確認画面に、実行結果情報に基づく監視ポイントの制御状態を示す画面を表示させる。この場合、監視ポイントＡを「ＯＦＦ」状態とした制御状態を示すアイコンが、例えば、緑色等で表示される。そして、再び、診断装置１の記録指示部１３４が、施設監視装置３に対して記録指示情報を送信し、施設監視装置３の記録制御部３３が、確認画面をキャプチャし、キャプチャデータを記録部３５に記録させる（ステップＳＴ６０４〜ステップＳＴ６１０）。
【００５２】
一方、ステップＳＴ６１１において、ノード装置２に対して、全ての制御状態での制御動作を実行させたと判定した場合（ステップＳＴ６１１の“ＹＥＳ”の場合）、ステップＳＴ６１２に進む。
ステップＳＴ６１２では、診断装置１の指示部１３の解除指示部１３２は、ステップＳＴ６０３において停止指示部１３１が停止指示情報を送信し、対象監視ポイントへの出力を停止させた対象ノード装置に対して、停止解除指示情報を送信して、対象監視ポイントへの出力の停止を解除し、制御を再開させる（ステップＳＴ６１２）。
【００５３】
対象ノード装置では、受付部２１の解除指示受付部２１２が、ステップＳＴ６１２において解除指示部１３２から送信された解除指示情報を受け付け、動作制御部２２の解除制御部２２２が、対象監視ポイントへの出力および警報判断の動作を再開させる。
なお、ステップＳＴ６１２の動作は必須ではない。すなわち、全ての検査が終了するまで、対象ノード装置に対して、対象監視ポイントへの出力を停止させたままとしてもよい。
【００５４】
診断装置１の判定制御部１４は、検査対象動作リストの全てのノード装置２に対して、検査を実行させたかどうかを判定する（ステップＳＴ６１３）。
ステップＳＴ６１３において、検査対象動作リストの全てのノード装置２に対する検査を完了させていないと判定した場合（ステップＳＴ６１３の“ＮＯ”の場合）、ステップＳＴ６０２に戻り、検査対象動作リストにおける、検査未実行のノード装置を対象ノード装置として、以降の処理を繰り返す。
ステップＳＴ６１３において、検査対象動作リストの全てのノード装置２に対する検査を完了させたと判定した場合（ステップＳＴ６１３の“ＹＥＳ”の場合）、ステップＳＴ６１４に進む。
【００５５】
判定制御部１４は、全ての確認画面について、各確認画面で定義された全てのノード装置２に対する検査を、ノード装置２に実行させたかどうかを判定する（ステップＳＴ６１４）。すなわち、判定制御部１４は、ステップＳＴ６１４において動作リスト作成部１１が作成した全ての動作リストについて、全ての検査を完了したかどうかを判定する。
【００５６】
ステップＳＴ６１４において、全ての確認画面について検査が終了していないと判定した場合（ステップＳＴ６１４の“ＮＯ”の場合）、ステップＳＴ６０２に戻り、検査未実施の次の動作リストを検査対象動作リストとし、当該検査対象動作リストに基づき、以降の処理を繰り返す。
ステップＳＴ６１４において、全ての確認画面について検査が終了したと判定した場合（ステップＳＴ６１４の“ＹＥＳ”の場合）、処理終了する。
【００５７】
このように、実施の形態１の施設監視システムでは、従来特に時間がかかっていた、各確認画面で表示される監視ポイントを各制御状態で動作させてみる作業を自動で行い、動作させてみた実行結果情報に関する情報（対象監視ポイントの制御状態、および、実行結果ログを表示させた確認画面のキャプチャデータ）を、エビデンスとして自動で記録させておくことができる。
これにより、管理者等は、記録された情報を確認することで、ノード装置２が設定どおりに監視ポイントを制御できているか否かを確認することができるため、管理者等による作業時間を削減することができる。また、管理者等は、記録された情報に基づき、検査報告書等を自動で生成することが可能となる。
また、管理者等が自ら、ノード装置２の制御が設定どおりかどうかの結果を導き出すことに限らず、例えば、施設監視装置３が、診断機能を有する場合は、記録された情報に基づき、施設監視装置３が、ノード装置２の制御が設定どおりかどうかを自動で診断するようにしてもよい。
【００５８】
なお、以上の実施の形態１では、図５に示すように、記録部３５は、施設監視装置３に備えられるものとしたが、これに限らない。例えば、記録部３５は、診断装置１に備えられるものとしてもよいし、施設監視装置３の外部の、施設監視装置３が参照可能な場所に備えられるようにしてもよい。
【００５９】
また、以上の実施の形態１では、施設監視装置３と診断装置１とはネットワークを介して接続され、診断モードへの切替が行われると、診断装置１がノード装置２を動作させ、診断を行うための実行結果情報を自動的に記録させるものとしたが、これに限らない。例えば、施設監視装置３が、診断装置１が有する機能を実行するソフトウェアとインストールし、当該ソフトウェアを実行することでノード装置２を動作させ、ノード装置２が設定に対応した動作を行えているかどうかの診断のための実行結果情報を自動的に記録するようにしてもよい。
【００６０】
また、以上の実施の形態１では、診断装置１において、動作リスト作成部１１が動作リストを作成し、動作実行指示部１３３は、動作リスト作成部１１が作成した動作リストに基づきノード特定部１２が特定した対象ノード装置に対して動作実行指示情報を送信するようにしたが、これに限らない。例えば、予め、管理者等によって動作リストが作成されており、動作実行指示部１３３が参照可能な場所に記憶されているようにしてもよい。この場合、動作実行指示部１３３は、予め作成され記憶されている動作リストに基づきノード特定部１２が特定した対象ノード装置に対して動作実行指示情報を送信するようにすればよい。また、この場合、診断装置１は、動作リスト作成部１１を備えない構成とすることができる。
また、動作リストで設定されるような情報は、リスト形式に限らず、確認画面ごとに、ノード装置２と当該ノード装置２が制御する監視ポイントとが対応付けられた情報になっていればよい。
【００６１】
また、例えば、管理者等が、施設監視装置３から、検査を実行させる対象ノード装置を指定するようにし、診断装置１は、指定された対象ノード装置に対して、対象監視ポイントの制御動作を実行させるようにしてもよい。この場合、診断装置１は、ノード特定部１２を備えない構成とすることができる。
【００６２】
以上のように、この実施の形態１によれば、施設内の複数の監視ポイントを制御する複数のノード装置２、および、当該ノード装置２を介して前記複数の監視ポイントの監視を行う施設監視装置３と、ネットワークを介して接続される診断装置１において、対象ノード装置に対して、当該対象ノード装置が制御する対象監視ポイントの制御動作を実行させる動作実行指示を送信する動作実行指示部１３３と、動作実行指示に基づいて対象ノード装置に対象監視ポイントの制御動作を実行させた結果得られた実行結果情報が表示された確認画面をキャプチャさせ、キャプチャデータを記録部に記録させる記録指示部１３４とを備えたので、施設監視システムにおいて、設定に対応した動作が行えているかどうかの診断のためのデータを自動的に記録することができる。その結果、施設監視システムの設定に対応した動作が行えているかどうかの確認作業に要する作業時間を低減させることができる。
【００６３】
また、本願発明はその発明の範囲内において、実施の形態の任意の構成要素の変形、もしくは実施の形態の任意の構成要素の省略が可能である。
【符号の説明】
【００６４】
１  診断装置
２  ノード装置
３  施設監視装置
１１  動作リスト作成部
１２  ノード特定部
１３  指示部
１４  判定制御部
２１  受付部
２２  動作制御部
２３  結果通知部
３１  結果取得部
３２  表示制御部
３３  記録制御部
３４  表示部
３５  記録部
１３１  停止指示部
１３２  解除指示部
１３３  動作実行指示部
１３４  記録指示部
２１１  停止指示受付部
２１２  解除指示受付部
２１３  動作実行指示受付部
２２１  停止制御部
２２２  解除制御部
２２３  動作実行制御部
【図１】
2019012416.tif 000003
【図２】
2019012416.tif 000004
【図３】
2019012416.tif 000005
【図４】
2019012416.tif 000006
【図５】
2019012416.tif 000007
【図６】
2019012416.tif 000008
【図７】
2019012416.tif 000009